(57)【要約】      （修正有）【課題】他の仏具の現代風の簡素化デザインに対応できるべく、強度的に強く、また  おリンのネジ部分が輪になって残り美観に良い、おりんの場所の参勤等の際に、おりんが外れて落下することがなく、しかも鳴らす音に影響のない台付りんを得る。【解決手段】仏壇に御参りする際にリン棒で叩いて音を出す器状の金属製のおりんと、これを支えるリン台とからなり、前記おりんの底面中央部に、リン台とを一体に連結する連結手段を備える。【選択図】図４
0003114268.tif 000002
【実用新案登録請求の範囲】
【請求項１】
仏壇に御参りする際にリン棒で叩いて音を出す器状の金属製のおりんと、これを支えるリン台とからなり、前記おりんの外側底面中央部に、切削加工された雄ネジと、これに螺着さわるリン台の項部に形成されたネジ孔部材とからなることを特徴とする台付りん。
【請求項２】
請求項１に記載の台付りんにおいて、雄ネジ部材の頂端部が前記おりんの外側あるいは内側に加工されていることを特徴とする台付りん。
【請求項３】
請求項２に記載の台付りんにおいて、リン台の項部に形成された貫通穴部材とナットからなることを特徴とする台付りん。
【考案の詳細な説明】
【考案の詳細な説明】
【技術分野】
【０００１】  本考案は、仏壇の前等に置かれ、仏壇に御参りする際にリン棒で叩いて音を出す仏具に関するものである。
【背景技術】
【背景技術】
【０００２】  仏壇の前や荘厳（しょうごん）中の壇上に、おりんが置かれる。このおりんは仏壇の御参りや供養の時に、手を合わせる寸前に、リン棒で鳴らすものである。通常は、おりんの外側底面中央部にネジ孔部材と、これに螺着さわるリン台の項部に切削加工された雄ネジからなる。【０００３】  このようなおりん，リンは薄肉部にネジ孔があり、ねじ山が少なく強度的に弱く、また  おリンのネジ部分が輪になって残り美観に悪い、仏壇の清掃の時や、荘厳のやり方等によって、移動させる際に、おりんを不注意で落下させ、おりんに割れを生じたり、仏壇を傷付けたりする場合があった。【０００４】  一方、従来の仏具の分野では、おりんは台座とリン布団を重ね、その上におりんを載せたものが一般的であり、これらをボルトにて一体に統合して転倒・分離しないようにしたものも知られている。
【実用新案文献１】
登録実用新案第３０５４６０７号公報
【考案の開示】
【考案が解決しようとする課題】
【０００５】  しかしながら、これら従来のおりんでは強度的にも弱く美観的にも悪い問題が生じていた。【０００６】  そこで、本考案は、他の仏具の現代風の類似化デザインに対応できるべく、全く新たな形態のおりんを提供する。即ち、おりんの場所の移動等の際に、おりんが外れて落下することがなく、しかも鳴らす音に影響もないものであって、台座とおりんだけを一体に固定した台付のおりん、即ち、台付りんを得ることを目的とする．
【課題を解決するための手段】
【０００７】  本請求項１に記載の考案に係る台付りんは、仏壇に御参りする際にリン棒で叩いて音を出す器状の金属製のおりんと、これを支えるリン台とからなり、
前記おりんの内側、外側、中央部に、リン台とを一体に連結する連結手段を備えたものである。【０００８】  本請求項２に記載の考案に係る台付りんは、請求項１に記載の台付りんにおいて、前記連結手段が、前記おりんの内側、外側、中央部に穿設された雄ネジと、これに蝶着されるリン台の項部または、内側に形成されたネジ孔部材とからなるもの又はりん台の頭部に穴の開いたものは、ナットで締める。
【考案を実施するための最良の形態】
【０００９】  本考案においては、連結手段によっておりんの外側底面中央部と内側底面中央部とリン台とを一体としているため、おりんの場所の移動等の際に、不用意におりんが外れて落下することがなくなる．また、おりんの内外中央部でリン台と一体としているため、おりんの音には全くの影響がない。【００１０】  即ち、おりんとリン台との一体化は、接着でも可能であるが、おりんをリン榛で叩いた際に、音が反響しないような接着は行うことはできない。おりんの音の反響は、器状のおりんの側壁部が振動して反響する。【００１１】  よって好ましくは、おりんの内外底面中央部に穿設された雄ネジと、これに螺着されるリン台の頂部に形成されたネジ孔部材とで一体としたものや、ナットで締めたものは、一体化が容易で、しかも耐久性が高い。【００１２】  特に、雄ネジがおりんの内外底面璧と同時に加工されているもので、雄ネジ部材が見える物、ボルトの頭とかナットが見えず内面あるいは外側も綺麗で突起物が出ず、安全である。
【実施例】
【００１３】  図１は本考案の台付りんの一実施例の構成を示す正面図である。図２は図１の断面図である。図１に示す通り、仏壇に御参りする際にリン棒で叩いて音を出す器状の金属製のおりん（１）が、打抜き成型された金属製のリン台（２）の上に載置されている。【００１４】  図２に示す通り、おりん（１）の外側中央部には、雄ネジ（４）が穿設されている。また、リン台（２）の頂部には、対応位置にネジ孔部材（３）が設されている。
図３に示す通り、おりん（１）の内側中央部には、雄ネジ（４）が穿設されている。また、リン台（２）の頂部には、対応位置にネジ孔部材（３）が設されている。
図４に示す通り、おりん（１）の内外中央部には、雄ネジ（４）が穿設されている。また、リン台（２）の頂部には、対応位置に貫通穴部材（３）が設されていてナットで締めるように設されている。【００１５】リン台（２）のネジ孔部材（３）をおりん（１）の雄ネジ（４）に蝶着して、おりん（１）とリン台（２）とを一体に連結固定する。雄ネジ（３）【００１６】  尚、ネジ孔部材（３）はリン台（２）の頂部に設けられているため、リン台（２）の周囲に浮彫模様等を施せれる、また、リン台（２）の個部にリン棒を戴置可能な載置台を設けてもよい。【００１７】以上のように、おりん（１）の内外面中央部に雄ネジ（４）を穿設し、これにリン台（２）のネジ孔部材（３）を螺着させておりん（１）とリン台（２）とを一体に連結固定しているため、鳴らす音に影響がなく、移動の際にもおりん（１）が落下することなく、耐久性もあり、おりん（１），リン台（２）の分解が容易で清掃や取替が容易な仏具が得られる。【００１８】  尚、本実施例では、図面に示すように、ごく一般的なデザインの台付りんを示すが、その台部分及びおりん部分のデザイン変更は任意であり、本考案ではこれを限定するものではない。
【考案の効果】
【００１９】  本考案は以上説明したとおり、おりんの場所の移動等の際に、おりんが外れて落下することがなく、しかも鳴らす音に影響のない台付りんを得ることができるという効果がある。
【図面の簡単な説明】
【図１】本考案の台付りんの一実施例の構成を示す正面図である。
【図２】図１の断面図である。
【図３】六角ナットで締めた断面図である。
【符号の説明】
▲１▼…おりん、
▲２▼…リン台、
▲３▼…雄ネジ、
▲４▼…ネジ孔部材、
▲５▼…貫通穴
▲６▼…六角ナット
【図１】
0003114268.tif 000003
【図２】
0003114268.tif 000004
【図３】
0003114268.tif 000005
【図４】
0003114268.tif 000006
【手続補正書】
【提出日】平成17年4月21日(2005.4.21)
【手続補正２】
【補正対象書類名】明細書
【補正対象項目名】全文
【補正方法】変更
【補正の内容】
【考案の詳細な説明】
【技術分野】
【０００１】
本考案は、仏壇の前等に置かれ、仏壇に御参りする際にリン棒で叩いて音を出す仏具に関するものである。
【背景技術】
【０００２】
仏壇の前や荘厳（しょうごん）中の壇上に、おりんが置かれる。このおりんは仏壇の御参りや供養の時に、手を合わせる寸前に、リン棒で鳴らすものである。通常は、おりんの外側底面中央部にネジ孔部材と、これに螺着さわるリン台の項部に切削加工された雄ネジからなる。
【０００３】
このようなおりん、リンは薄肉部にネジ孔があり、ねじ山が少なく強度的に弱く、また  おリンのネジ部分が輪になって残り美観に悪い、仏壇の清掃の時や、荘厳のやり方等によって、移動させる際に、おりんを不注意で落下させ、おりんに割れを生じたり、仏壇を傷付けたりする場合があった。
【０００４】
一方、従来の仏具の分野では、おりんは台座とリン布団を重ね、その上におりんを載せたものが一般的であり、これらをボルトにて一体に統合して転倒・分離しないようにしたものも知られている。
【特許文献１】登録実用新案第３０５４６０７号公報
【考案の開示】
【考案が解決しようとする課題】
【０００５】
しかしながら、これら従来のおりんでは強度的にも弱く美観的にも悪い問題が生じていた。
【０００６】
そこで、本考案は、他の仏具の現代風の類似化デザインに対応できるべく、全く新たな形態のおりんを提供する。即ち、おりんの場所の移動等の際に、おりんが外れて落下することなく、しかも鳴らす音に影響もないものであって、台座とおりんだけを一体に固定した台付のおりん、即ち、台付りんを得ることを目的とする。
【課題を解決するための手段】
【０００７】
本請求項１に記載の考案に係る台付りんは、仏壇に御参りする際にリン棒で叩いて音を出す器状の金属製のおりんと、これを支えるリン台とからなり、前記おりんの内側、外側、中央部に、リン台とを一体に連結する連結手段を備えたものである。
【０００８】
本請求項２に記載の考案に係る台付りんは、請求項１に記載の台付りんにおいて、前記連結手段が、前記おりんの内側、外側、中央部に穿設された雄ネジと、これに蝶着されるリン台の項部または、内側に形成されたネジ孔部材とからなるもの又はりん台の頭部に穴の開いたものは、ナットで締める。
【考案の効果】
【０００９】
本考案は以上説明したとおり、おりんの場所の移動等の際に、おりんが外れて落下することがなく、しかも鳴らす音に影響のない台付りんを得ることができるという効果がある。
【考案を実施するための最良の形態】
【００１０】
本考案においては、連結手段によっておりんの外側底面中央部と内側底面中央部とリン台とを一体としているため、おりんの場所の移動等の際に、不用意におりんが外れて落下することがなくなる。また、おりんの内外中央部でリン台と一体としているため、おりんの音には全くの影響がない。
【００１１】
即ち、おりんとリン台との一体化は、接着でも可能であるが、おりんをリン棒で叩いた際に、音が反響しないような接着は行うことはできない。おりんの音の反響は、器状のおりんの側壁部が振動して反響する。
【００１２】
よって好ましくは、おりんの内外底面中央部に穿設された雄ネジと、これに螺着されるリン台の頂部に形成されたネジ孔部材とで一体としたものや、ナットで締めたものは、一体化が容易で、しかも耐久性が高い。
【００１３】
特に、雄ネジがおりんの内外底面壁と同時に加工されているもので、雄ネジ部材が見える物、ボルトの頭とかナツトが見えず内面あるいは外側も綺麗で突起物が出ず、安全である。
【実施例】
【００１４】
図１は本考案の台付りんの一実施例の構成を示す正面図である。図２は図１の断面図である。図１に示す通り、仏壇に御参りする際にリン棒で叩いて音を出す器状の金属製のおりん（１）が、打抜き成型された金属製のリン台（２）の上に載置されている。
【００１５】
図２に示す通り、おりん（１）の外側中央部には、雄ネジ（４）が穿設されている。また、リン台（２）の頂部には、対応位置にネジ孔部材（３）が設されている。
図３に示す通り、おりん（１）の内側中央部には、雄ネジ（４）が穿設されている。また、リン台（２）の頂部には、対応位置にネジ孔部材（３）が設されている。
図４に示す通り、おりん（１）の内外中央部には、雄ネジ（４）が穿設されている。また、リン台（２）の頂部には、対応位置に貫通穴部材（３）が設されていてナットで締めるように設されている。
【００１６】
リン台（２）のネジ孔部材（３）をおりん（１）の雄ネジ（４）に蝶着して、おりん（１）とリン台（２）とを一体に連結固定する。雄ネジ（３）
【００１７】
尚、ネジ孔部材（３）はリン台（２）の頂部に設けられているため、リン台（２）の周囲に浮彫模様等を施せれる、また、リン台（２）の個部にリン棒を載置可能な載置台を設けてもよい。
【００１８】
以上のように、おりん（１）の内外面中央部に雄ネジ（４）を穿設し、これにリン台（２）のネジ孔部材（３）を螺着させておりん（１）とリン台（２）とを一体に連結固定しているため、鳴らす音に影響がなく、移動の際にもおりん（１）が落下することなく、耐久性もあり、おりん（１）、リン台（２）の分解が容易で清掃や取替が容易な仏具が得られる。
【００１９】
尚、本実施例では、図面に示すように、ごく一般的なデザインの台付りんを示すが、その台部分及びおりん部分のデザイン変更は任意であり、本考案ではこれを限定するものではない。
【図面の簡単な説明】
【００２０】
【図１】本考案の台付りんの一実施例の構成を示す正面図である。
【図２】図１の断面図である。
【図３】六角ナットで締めた断面図である。
【図４】おりんの内外中央部に雄ネジを穿設した例を示す。
【符号の説明】
【００２１】
１    おりん
２    リン台
３    雄ネジ
４    ネジ孔部材
５    貫通穴
６    六角ナット